(57)【要約】【課題】調整精度を高めると共に、リワークを可能にして、フォーカス調整不良による不良品発生率を低減する。【解決手段】レンズバレル５をホルダ４にねじ込んでレンズバレル５の底面がレンズ固定ワッシャ６の上面を押圧して、レンズ固定ワッシャ６の弾性力によりレンズバレル５をねじ込み方向とは逆方向に付勢してレンズバレル５を固定するので、レンズバレル５をホルダ４にねじ込んたどの位置においてもフォーカス位置としてレンズバレル５を固定することが可能となる。【選択図】図１
2011077927.tif 000002
【特許請求の範囲】
【請求項１】
入射光をレンズにより撮像センサ上に集光して撮像するカメラモジュールにおいて、
該レンズを収容したレンズ収容部材をホルダにねじ込んで該レンズと該撮像センサとのフォーカス位置を調整して固定する際に、その弾性力により該レンズ収容部材をねじ込み方向とは逆方向に付勢して該レンズ収容部材を固定するレンズ収容部材固定手段が中央部の光学領域以外の該ホルダの底面に配設されているカメラモジュール。
【請求項２】
前記レンズ収容部材固定手段は、中央部の光学領域を除く環状に形成され、弾性体の表面および裏面が、摩擦で発塵がないように樹脂層でコーティングされている請求項１に記載のカメラモジュール。
【請求項３】
前記弾性体はシリコンゴム材である請求項２に記載のカメラモジュール。
【請求項４】
前記レンズ収容部材固定手段は、前記レンズ収容部材を固定するための硬度および厚みを有している請求項１に記載のカメラモジュール。
【請求項５】
前記レンズ収容部材固定手段の上面が、前記レンズ収容部材により押圧されて膨れて変形する場合に、該レンズ収容部材固定手段の内径部が前記撮像センサの撮像領域内に膨れて入らないように内径寸法が設定されている請求項１に記載のカメラモジュール。
【請求項６】
前記レンズ収容部材固定手段は、前記ホルダの中央部に光学領域に対応する円形開口部が形成されており、該円形開口部の内周面に雌ねじ部が形成され、前記レンズ収容部材の外周側に形成された雄ねじ部を該雌ねじ部に螺合させて該レンズ収容部材を該ホルダ内にねじ込んだ場合に、光学領域以外の前記ホルダの底面上に設けられた該レンズ収容部材固定手段の上面を該レンズ収容部材の底面で押圧してその弾性力により該レンズ収容部材を固定する請求項１に記載のカメラモジュール。
【請求項７】
前記レンズ収容部材固定手段の弾性変形範囲内に、前記レンズの前記撮像領域に対するフォーカス距離が設定されている請求項１に記載のカメラモジュール。
【請求項８】
前記ホルダに前記レンズ収容部材がねじ込まれた状態で、前記撮像センサ上を覆って、基板上に接着剤により内部を密閉または半密閉状態で該ホルダが固着されている請求項１に記載のカメラモジュール。
【請求項９】
前記レンズ収容部材の底面は、前記レンズ収容部材固定手段の上面に対して外周側で円環状に突出している請求項１に記載のカメラモジュール。
【請求項１０】
請求項１〜９のいずれかに記載のカメラモジュールを画像入力デバイスとして撮像部に用いた電子情報機器。
【発明の詳細な説明】
【技術分野】
【０００１】
本発明は、例えばセキュリティカメラおよび車載カメラ、固定点観測カメラなどにおいて撮像を行うときに用いるカメラモジュールであって、固体撮像素子、配線基板、レンズ、ローパスフィルタおよび鏡胴などがパッケージ化されたカメラモジュール、このカメラモジュールを画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器に関する。
【背景技術】
【０００２】
この種の従来のカメラモジュールは、ＣＣＤセンサやＣＭＯＳセンサなどの半導体イメージセンサと、この半導体イメージセンサの撮像領域内に光像を集光するための光学レンズとを組み合わせている。このような従来のカメラモジュールでは、図７に示すように、レンズバレル７１を回転させてホルダ７２内にねじ込み、ホルダ７２の底部の半導体センサ７３とレンズバレル７１のレンズとの距離をフォーカス位置に合わせて調整する。その後、フォーカスが合った位置でレンズバレル７１をホルダ７２に接着剤７４により固定する。この接着剤７４によるレンズバレル７１の固定に際して、図８のカメラモジュール７０の上面に示す接着箇所Ｘに接着剤７４を塗布してレンズバレル７１とホルダ７２の内周面の間に流し込んで、レンズバレル７１をそのフォーカス位置でホルダ７２に固定している。
【０００３】
図９は、特許文献１に開示されている従来のカメラモジュールの要部構成例を示す縦断面図である。
【０００４】
図９に示すように、従来のカメラモジュール９０において、光学部品連結装置は、２つの部品、即ち、第１の部品としての鏡筒部９１と、第２の部品としての保持部９２とにより構成されている。これら鏡筒部９１および保持部９２は、例えば、所望の硬さを持たせるためにガラス粉末が混入されたＰＣ（ポリカーボネ−ト）により形成されている。鏡筒部９１は内部にレンズ９３を保持している。鏡筒部９１の外周部には、操作時に手が滑らないように凹凸状に形成された把持部９４と、保持部９２との連結用のねじ部（例えば雄ねじ）９５と、位置決め用の凸部９６とを有している。この凸部９６はねじ部９５の終端の位置において同一円周上に、例えば等間隔で４個設けられている。
【０００５】
保持部９２は、例えば箱状の撮像素子取付部９２ａと、例えば円筒状の鏡筒部取付部９２ｂとを備えている。撮像素子取付部９２ａには、例えばＣＣＤを内蔵したＣＣＤパッケージ９７が着脱可能に取り付けられている。鏡筒部取付部９２ｂには、内壁面に鏡筒部９１側のねじ部９５と螺合可能なねじ部（例えば雌ねじ）９８が設けられ、このねじ部９８の先端部分には位置決め用の複数の凹部９９が設けられている。複数の凹部９９は、鏡筒部取付部９２ｂの内壁面に同一円周上に、例えば等間隔で連続して形成されている。
【０００６】
鏡筒部９１の把持部９４をつまんで廻してねじ部（雌ねじ）９８にねじ部（雄ねじ）９５を螺合させることにより、鏡筒部９１を保持部９２に連結させる。このねじ部９８とねじ部９５との螺合状態が最終位置近傍になると、鏡筒部９１の凸部９６が保持部９２の凹部９９に対して係合し始めるため、回転操作に若干の抵抗が生じる。この段階でフォーカス位置の微調整を行う。
【０００７】
即ち、さらに回転力を加えつつ鏡筒部９１の把持部９４を少しずつ廻して、保持部９２の全円周上に設けられた凹部９９に対して鏡筒部９１の凸部９６を一つずつずらしながら位置決めさせていく。最適なフォーカス位置になり把持部９４の回転操作を止めると、鏡筒部９１の凸部９６が保持部９２の特定の凹部９９に対して係合した状態となる。この状態では、特に、強い力を加えない限り凸部９６が凹部９９から離脱することはなく、その係合状態を保持する。このような操作により、レンズ９３を保持した鏡筒部９１を、ＣＣＤパッケージ９７を保持した保持部９２に対してフォーカス位置の調整をしつつ、そのフォーカス位置において十分な強度で固定することができる。なお、より固定強度を高めるために、接着剤により鏡筒部９１を保持部９２に対して固着させるようにしてもよい。
【０００８】
図１０は、特許文献２に開示されている従来のカメラモジュールの要部構成例を示す縦断面図である。
【０００９】
図１０に示すように、従来のカメラモジュール１００において、筒状の保持部材１０１は、絶縁樹脂の成形品からなり、中空部１０１ａ内にはレンズ１０２を取り付けた取付部材１０３が回転方向と光軸方向に移動可能に配置されている。
【００１０】
筒状のカム部材１０４は、円周上に設けられた複数のカム部１０５を有し、このカム部１０５は、方軸方向に段差を持って形成された平坦状の第１の位置面１０６ａおよび第２の位置面１０６ｂと、これらの第１の位置面１０６ａおよび第２の位置面１０６ｂを繋ぐ傾斜面１０７を有している。
【００１１】
このカム部材１０４は、第１の位置面１０６ａが後方部に位置し、第２の位置面１０６ｂが前方に位置した状態で、保持部材１０１の中空部１０１ａ内に取り付けられ、このカム部１０５には、取付部材１０３に設けられた突部１０３ａが係合可能となっている。
【００１２】
この突部１０３ａが第１の位置面１０６ａに係合しているとき、レンズ１０２と取付部材１０３は、第１の位置１０６ａにあって、ノーマル撮影（遠距離撮影）が可能であると共に、突部１０３ａが第２の位置面１０６ｂに係合しているとき、レンズ１０２と取付部材１０３は、第２の位置１０６ｂにあって、近距離撮影が可能となっている。
【００１３】
コイルバネからなる付勢部材１０８は、保持部材１０１の中空部１０１ａ内に配置され、保持部材１０１に取り付けられた掛止め部１０９と取付部材１０３との間に配置されている。また、付勢部材１０８は、ワッシャＷを介して取付部材１０３を常時、カム部材１０４の方向に押圧して、突部１０３ａが第１の位置面１０６ａ、或いは第２の位置面１０６ｂに押し付けられている。
【００１４】
赤外線除去フィルタ（ＩＲカットフィルタ）１１０は、中空部１０１ａの後方部を塞ぐように保持部材１０１に取り付けられると共に、保持部材１０１の後方部には、内部に赤外線除去フィルタ１１０を収納した状態で、ケース１１１が取り付けられている。
【００１５】
回路基板１１２上には撮像素子１１３が取り付けられており、この回路基板１１２は、撮像素子１１３がケース１１１内に位置した状態で、ケース１１１の後方部を塞ぐようにケース１１１に取り付けられて、撮像素子１１３が赤外線除去フィルタ１１０に対向した状態となっている。
【先行技術文献】
【特許文献】
【００１６】
【特許文献１】特開２００２−６２４６５号公報
【特許文献２】特開２００７−２０６６２９号公報
【発明の概要】
【発明が解決しようとする課題】
【００１７】
上記従来のカメラモジュール７０の構成では、レンズバレル７１を回転させてホルダ７２内にねじ込み、ホルダ７２の底部の半導体センサ７３とレンズバレル７１のレンズとの距離をフォーカス調整し、フォーカスが合った位置でレンズバレル７１をホルダ７２に固定していた。この場合、作業者が注射針で接着剤７３を図８の接着箇所Ｘに塗布していた。しかし、この方法では、その後工程で、フォーカス調整が不完全で、解像度が仕様を満たさないことが分かった場合でも、接着剤７３でレンズバレル７１とホルダ７２とが一旦固定されてしまうと、フォーカス再調整をしようとしても、リワークが不可能であるという問題を有していた。
【００１８】
特許文献１に開示されている上記従来のカメラモジュール９０の構成では、フォーカス位置を調整するためのピッチ（フォーカス調整ピッチ）は、鏡筒部９１の径（内径）やねじ部９５，９８のピッチに加え、凹部９９と凸部９５との間のピッチ（係合ピッチ）により決定されるが、調整精度が荒いという問題がある。調整精度を高めるためには、凹部９９と凸部９５との係合ピッチをより小さくする必要がある。また、接着剤にて鏡筒部９１と保持部９２を固着して固定強度を上げると、上記した場合と同様にリワークが不可能であるという問題が生じる。
【００１９】
特許文献２に開示されている上記従来のカメラモジュール１００の構成では、コイルバネからなる付勢部材１０８がワッシャＷを介して、第１の位置１０６ａと第２の位置１０６ｂのいずれかの位置でレンズ１０２の取付部材１０３を常時、カム部材１０４側の方向に押圧して固定されている。この場合、第１の位置１０６ａと第２の位置１０６ｂのいずれかの位置に取付部材１０３が移動自在に構成されているのであるが、図１０のカメラモジュール１００は、前述した図７のように、レンズバレル７１を回転させてホルダ７２内にねじ込み、ホルダ７２の底部の半導体センサ７３とレンズバレル７１のレンズとの距離を調整し、フォーカスが合った位置でレンズバレル７１をホルダ７２に固定するものとは全くその構成が異なっている。
【００２０】
本発明は、上記従来の問題を解決するもので、調整精度を高めると共に、リワークを可能にして、フォーカス調整不良による不良品発生率を低減することができるカメラモジュールおよび、このカメラモジュールを画像入力デバイスとして撮像部に用いた例えばカメラ付き携帯電話装置などの電子情報機器を提供することを目的とする。
【課題を解決するための手段】
【００２１】
本発明のカメラモジュールは、入射光をレンズにより撮像センサ上に集光して撮像するカメラモジュールにおいて、該レンズを収容したレンズ収容部材をホルダにねじ込んで該レンズと該撮像センサとのフォーカス位置を調整して固定する際に、その弾性力により該レンズ収容部材をねじ込み方向とは逆方向に付勢して該レンズ収容部材を固定するレンズ収容部材固定手段が中央部の光学領域以外の該ホルダの底面に配設されているものであり、そのことにより上記目的が達成される。
【００２２】
また、好ましくは、本発明のカメラモジュールにおけるレンズ収容部材固定手段は、中央部の光学領域を除く環状に形成され、弾性体の表面および裏面が、摩擦で発塵がないように樹脂層でコーティングされている。
【００２３】
さらに、好ましくは、本発明のカメラモジュールにおける弾性体はシリコンゴム材である。
【００２４】
さらに、好ましくは、本発明のカメラモジュールにおけるレンズ収容部材固定手段は、前記レンズ収容部材を固定するための硬度および厚みを有している。
【００２５】
さらに、好ましくは、本発明のカメラモジュールにおけるレンズ収容部材固定手段の上面が、前記レンズ収容部材により押圧されて膨れて変形する場合に、該レンズ収容部材固定手段の内径部が前記撮像センサの撮像領域内に膨れて入らないように内径寸法が設定されている。
【００２６】
さらに、好ましくは、本発明のカメラモジュールにおけるレンズ収容部材固定手段は、前記ホルダの中央部に光学領域に対応する円形開口部が形成されており、該円形開口部の内周面に雌ねじ部が形成され、前記レンズ収容部材の外周側に形成された雄ねじ部を該雌ねじ部に螺合させて該レンズ収容部材を該ホルダ内にねじ込んだ場合に、光学領域以外の前記ホルダの底面上に設けられた該レンズ収容部材固定手段の上面を該レンズ収容部材の底面で押圧してその弾性力により該レンズ収容部材を固定する。
【００２７】
さらに、好ましくは、本発明のカメラモジュールにおけるレンズ収容部材固定手段の弾性変形範囲内に、前記レンズの前記撮像領域に対するフォーカス距離が設定されている。
【００２８】
さらに、好ましくは、本発明のカメラモジュールにおけるホルダに前記レンズ収容部材がねじ込まれた状態で、前記撮像センサ上を覆って、基板上に接着剤により内部を密閉または半密閉状態で該ホルダが固着されている。
【００２９】
さらに、好ましくは、本発明のカメラモジュールにおけるレンズ収容部材の底面は、前記レンズ収容部材固定手段の上面に対して外周側で円環状に突出している。
【００３０】
本発明の電子情報機器は、本発明の上記カメラモジュールを画像入力デバイスとして撮像部に用いたものであり、そのことにより上記目的が達成される。
【００３１】
上記構成により、以下、本発明の作用を説明する。
【００３２】
本発明においては、レンズを収容したレンズ収容部材をホルダにねじ込んでレンズと撮像センサとのフォーカス位置を調整して固定する際に、その弾性力によりレンズ収容部材をねじ込み方向とは逆方向に付勢してレンズ収容部材を固定するレンズ収容部材固定手段が中央部の光学領域以外のホルダの底面に配設されている。
【００３３】
これによって、レンズ収容部材固定手段の弾性力によりレンズ収容部材をねじ込み方向とは逆方向に付勢してレンズ収容部材を固定するので、レンズ収容部材をホルダにねじ込んでどの位置においてもフォーカス位置として固定することが可能であることから、調整精度を高めると共に、リワークを可能にして、フォーカス調整不良による不良品発生率を低減することが可能となる。
【発明の効果】
【００３４】
以上により、本発明によれば、レンズ収容部材固定手段の弾性力によりレンズ収容部材をねじ込み方向とは逆方向に付勢してレンズ収容部材を固定するので、レンズ収容部材をホルダにねじ込んでどの位置においてもフォーカス位置として固定することが可能であることから、調整精度を高めると共に、リワークを可能にして、フォーカス調整不良による不良品発生率を低減することができる。
【図面の簡単な説明】
【００３５】
【図１】本発明の実施形態１におけるカメラモジュールの要部構成例を示す縦断面図である。
【図２】図１のカメラモジュールのレンズ固定ワッシャの斜視図およびその縦断面図である
【図３】図１のカメラモジュールのホルダとレンズ固定ワッシャと撮像領域との位置関係を示す平面図である。
【図４】図１のカメラモジュールのホルダとレンズ固定ワッシャと撮像領域との位置関係を示す縦断面図である。
【図５】図１のレンズ固定ワッシャの厚さとレンズバレルが緩まない回転トルクとの関係を示す図である。
【図６】本発明の実施形態２として、本発明の実施形態１のカメラモジュールを含む固体撮像装置を撮像部に用いた電子情報機器の概略構成例を示すブロック図である。
【図７】従来のカメラモジュールの要部構成例を示す概念図である。
【図８】図７のカメラモジュールの上面図である。
【図９】特許文献１に開示されている従来のカメラモジュールの要部構成例を示す縦断面図である。
【図１０】特許文献２に開示されている従来のカメラモジュールの要部構成例を示す縦断面図である。
【発明を実施するための形態】
【００３６】
以下に、本発明のカメラモジュールの実施形態１および、このカメラモジュールの実施形態１を画像入力デバイスとして撮像部に用いた例えばセキュリティカメラおよび車載カメラ、固定点観測カメラなどの電子情報機器の実施形態２について図面を参照しながら詳細に説明する。
【００３７】
（実施形態１）
図１は、本発明の実施形態１におけるカメラモジュールの要部構成例を示す縦断面図である。
【００３８】
図１において、本実施形態１のカメラモジュール１は、基板２上に配設され、複数の受光部がマトリクス状に配置された撮像領域を持つＣＣＤセンサやＣＭＯＳセンサなどの撮像センサ３と、基板２上に配置され中央部分に雌ねじ部が形成されたホルダ４と、一または複数枚（ここでは３枚）のレンズ５ａを収容して雌ねじ部に螺合する雄ねじ部を外周側に持つレンズ収容部材としてのレンズバレル５と、弾性力によってレンズバレル５の垂直方向の位置（フォーカス調整位置）を固定するためのレンズ収容部材固定手段としてのレンズ固定ワッシャ６と、撮像センサ３とレンズバレル５間のホルダ４の壁面に取り付けられたＩＲカットフィルタ７とを有している。
【００３９】
撮像センサ３は、複数の受光部がマトリクス状に配置された撮像領域を中央部に持つ撮像素子チップと、撮像領域の周囲上に配置された接着樹脂部と、接着樹脂部上に配置され撮像領域の上方を覆う透明ガラス板などの透明支持基板とを有している。
【００４０】
ホルダ４は、光学領域の中央部に円形開口部を有すると共に、その円形開口部の内周面に雌ねじ部が形成されており、撮像領域に入射光を集光するレンズ５ａが収容されたレンズバレル５の雄ねじ部がその雌ねじ部に螺合している状態で、撮像センサ３上を覆って、基板２上に接着剤（図示せず）により内部を密閉または半密閉状態で接着されている。また、レンズ固定ワッシャ６が中央部の光学領域を除くホルダ４の環状の底面４ａ上に配設されている。
【００４１】
レンズバレル５は、内周部にレンズ５ａが収容されて、外周部に雄ねじ部が形成されている。レンズバレル５の雄ねじ部は、ホルダ４の円形開口部の内周面に形成された雌ねじ部に螺合される。レンズバレル５の底面は、レンズ固定ワッシャ６の上面に対して突出外周側で突出している。この方が、レンズ固定ワッシャ６の外周側に円環状に押圧して有効にレンズ固定ワッシャ６の弾性を用いることができる。
【００４２】
レンズ固定ワッシャ６は、図２に示すようにドーナツ状に構成され、摩擦で発塵がないように、厚さが０.７〜１.２ｍｍ程度のシリコンゴム材６ａの表面および裏面を、０.１ｍｍ程度のポリエチレンテレフタレート（ＰＥＴ）などの樹脂層６ｂのコーティングが施されて３層構造にしている。この場合のレンズ固定ワッシャ６のトータル厚さが０.９〜１.４ｍｍ程度になる。
【００４３】
また、レンズ固定ワッシャ６の外形寸法は直径が７.８ｍｍ±０.１ｍｍで、レンズ固定ワッシャ６の内径寸法は直径が６.１ｍｍ±０.１ｍｍである。これらのレンズ固定ワッシャ６の寸法は、レンズバレル５をホルダ４にねじ込んだ時に、レンズバレル５の底面がレンズ固定ワッシャ６の上面を押圧して膨れて変形する場合に、図３および図４に示すように、レンズ固定ワッシャ６（ワッシャ位置を点線で示している）の内径寸法が、撮像領域（映り込み領域Ｂ）内に入らない寸法である必要があって隙間ｄ１を必要とするし、レンズ固定ワッシャ６の外径寸法がホルダ４の内径寸法Ａに対して接しないように隙間ｄ２が必要である。このようにして、レンズ固定ワッシャ６は、レンズ５ａを収容したレンズバレル５を確実に固定できる最適な硬度（例えば２０度）、厚み（例えば１.３ｍｍ；変形後中央部の厚み０.５ｍｍ程度）および外形寸法を選定する。これらのレンズ５ａと撮像領域（映り込み領域Ｂ）との距離は互いにフォーカス調整位置でレンズ固定ワッシャ６の弾性力（復元力）で固定されるようになっている。
【００４４】
カメラモジュール１において、レンズバレル５とホルダ４間のスペースに、フォーカス合焦時に一定の固定力を確保できる硬度、厚みおよび外形寸法のシリコンゴム材６１で構成されたレンズ固定ワッシャ６を挿入し、レンズバレル５を締め込むことにより、摩擦およびその弾性力によりレンズ位置を固定することができる。
【００４５】
この場合、レンズ固定ワッシャ６の厚さ方向の弾性変形範囲内に、レンズ５ａの撮像領域に対するフォーカス距離が設定されている。即ち、レンズバレル５は回転によりレンズバレル５とレンズ固定ワッシャ６とは接近または離間自在であるが、レンズ固定ワッシャ６の弾性変形範囲内に、レンズバレル５の撮像領域に対するフォーカス移動距離が限定されている。レンズバレル５下のスペースに、所定硬度、所定厚みおよび所定外径を持ったドーナツ状（円環状）のレンズ固定ワッシャ６が挿入され、このレンズ固定ワッシャ６を上からレンズバレル５で押さ付けることにより摩擦およびその弾性復元力でレンズバレル５を、締め付ける方向とは逆方向に付勢して位置を固定することができる。さらに、レンズバレル５を逆方向に回転させて緩めることにより、レンズバレル５を再度締め付ければ、フォーカス調整が可能になるため、フォーカス調整不良の低減が見込めて、歩留まりが向上する。
【００４６】
ＩＲカットフィルタ７は、光路の途中に配設され、レンズバレル５のレンズ５ａによって集光された画像光から赤外線をカットすることができる。
【００４７】
図５は、図１のレンズ固定ワッシャ６の厚さとレンズバレル５の緩まない回転トルクとの関係を示す図である。
【００４８】
図５に示すように、レンズ固定ワッシャ６の厚さが１.３ｍｍの場合に、レンズバレル５が緩む回転トルクが４〜７ｃＮｍ（平均５.３ｃＮｍ）である。即ち、回転トルクの平均値が５.３ｃＮｍでレンズバレル５が緩むことを示している。逆に、レンズバレル５に７ｃＮｍを超える回転トルクをかけると、レンズバレル５は完全に緩んで、フォーカス調整を行うリワークが可能となる。また、レンズバレル５に４ｃＮｍ未満の回転トルクをかけても、レンズバレル５は全く緩まず、レンズ固定ワッシャ６の弾性力によって、より確実にレンズバレル５を固定することができる。
【００４９】
以上により、本実施形態１によれば、レンズバレル５をホルダ４にねじ込んでレンズバレル５の底面がレンズ固定ワッシャ６の上面を押圧して、レンズ固定ワッシャ６の弾性力によりレンズバレル５をねじ込み方向とは逆方向に付勢してレンズバレル５を固定するため、レンズバレル５をホルダ４にねじ込んだどの位置においてもフォーカス位置としてレンズバレル５を固定することができる。これによって、調整精度を高めると共に、リワークを可能にして、フォーカス調整不良による不良品発生率を低減（約１パーセント程度）することができるものである。
【００５０】
また、レンズ固定ワッシャ６によって接着剤を不要とすることができるため、前述したリワークが可能なことはもちろんのこと、接着剤の硬化時間が発生しないのでＴＡＴ短縮することができ、ねじロックはみ出し不良（接着剤はみ出し不良）もなくなる。
【００５１】
（実施形態２）
図６は、本発明の実施形態２として、本発明の実施形態１のカメラモジュール１を含む固体撮像装置を撮像部に用いた電子情報機器の概略構成例を示すブロック図である。
【００５２】
図６において、本実施形態２の電子情報機器６０は、上記実施形態１のカメラモジュール１からの撮像信号を所定の信号処理をしてカラー画像信号を得る固体撮像装置６１と、この固体撮像装置６１からのカラー画像信号を記録用に所定の信号処理した後にデータ記録可能とする記録メディアなどのメモリ部６２と、この固体撮像装置６１からのカラー画像信号を表示用に所定の信号処理した後に液晶表示画面などの表示画面上に表示可能とする液晶表示装置などの表示手段６３と、この固体撮像装置６１からのカラー画像信号を通信用に所定の信号処理をした後に通信処理可能とする送受信装置などの通信手段６４と、この固体撮像装置６１からのカラー画像信号を印刷用に所定の印刷信号処理をした後に印刷処理可能とするプリンタなどの画像出力手段６５とを有している。なお、この電子情報機器６０として、これに限らず、固体撮像装置６１の他に、メモリ部６２と、表示手段６３と、通信手段６４と、プリンタなどの画像出力手段６５とのうちの少なくともいずれかを有していてもよい。
【００５３】
この電子情報機器６０としては、前述したように例えばデジタルビデオカメラ、デジタルスチルカメラなどのデジタルカメラや、監視カメラ、ドアホンカメラ、車載用後方監視カメラなどの車載用カメラおよびテレビジョン電話用カメラなどの画像入力カメラ、スキャナ装置、ファクシミリ装置、カメラ付き携帯電話装置および携帯端末装置（ＰＤＡ）などの画像入力デバイスを有した電子機器が考えられる。
【００５４】
したがって、本実施形態２によれば、この固体撮像装置６１からのカラー画像信号に基づいて、これを表示画面上に良好に表示したり、これを紙面にて画像出力手段６５により良好にプリントアウト（印刷）したり、これを通信データとして有線または無線にて良好に通信したり、これをメモリ部６２に所定のデータ圧縮処理を行って良好に記憶したり、各種データ処理を良好に行うことができる。
【００５５】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５６】
本発明は、例えばセキュリティカメラおよび車載カメラ、固定点観測カメラなどにおいて撮像を行うときに用いるカメラモジュールであって、固体撮像素子、配線基板、レンズ、ローパスフィルタおよび鏡胴などがパッケージ化されたカメラモジュール、このカメラモジュールを画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器の分野において、レンズ収容部材固定手段の弾性力によりレンズ収容部材をねじ込み方向とは逆方向に付勢してレンズ収容部材を固定するので、レンズ収容部材をホルダにねじ込んでどの位置においてもフォーカス位置として固定することが可能であることから、調整精度を高めると共に、リワークを可能にして、フォーカス調整不良による不良品発生率を低減することができる。
【符号の説明】
【００５７】
１  カメラモジュール
２  基板（配線基板）
３  撮像センサ
４  ホルダ
４ａ  底面
５  レンズバレル
５ａ  レンズ
６  レンズ固定ワッシャ
６ａ  シリコンゴム材
６ｂ  樹脂層
７  ＩＲカットフィルタ
Ａ  ホルダ内径寸法
Ｂ  映り込み領域（撮像領域）
ｄ１、ｄ２  隙間（マージン寸法）
６０  電子情報機器
６１  固体撮像装置
６２  メモリ部
６３  表示手段
６４  通信手段
６５  画像出力手段
【図１】
2011077927.tif 000003
【図２】
2011077927.tif 000004
【図３】
2011077927.tif 000005
【図４】
2011077927.tif 000006
【図５】
2011077927.tif 000007
【図６】
2011077927.tif 000008
【図７】
2011077927.tif 000009
【図８】
2011077927.tif 000010
【図９】
2011077927.tif 000011
【図１０】
2011077927.tif 000012